(57)【要約】【課題】携帯電話端末で、視覚障害者にとり点字による表示や音声認識を用いず、且つ画面表示を見ることなしにその動作状態を認識し、操作することを可能にする。【解決手段】キー操作音データ記憶部４は使用者により操作されるキーに対応する操作音データを予め記憶しておく。キー操作音発生部５は、キー操作音データ記憶部４に保存されている当該キー操作に対応する操作音データに基づくキー操作音を発生する。バイブレータ制御部６は入力操作されるキーに基づき対応するバイブレータ動作を行わせる。キー操作制御部３は、操作されたキー入力を判別し対応する処理を行うもので、操作されたキー入力に基づきキー操作音発生部５およびバイブレータ制御部６を制御しスピーカ７およびバイブレータ８に音出力および振動出力して携帯電話端末の動作状態を使用者に認識させる。【選択図】      図１
2004254198.tif 000002
【特許請求の範囲】
【請求項１】
音報知のための拡声手段および振動報知のための振動手段を有する携帯電話端末であって、この携帯電話端末でのキー操作により保有するデータから当該キー操作に対応する任意のキー操作音および前記振動手段のオン／オフ動作の組み合わせをあらかじめ設定しておき、キー操作時に前記設定に基づく前記拡声手段および前記振動手段による音出力および振動出力により携帯電話端末の動作状態を使用者に認識させる制御手段を備えることを特徴とする携帯電話端末。
【請求項２】
音報知のための拡声手段を保有する携帯電話端末であって、この携帯電話端末でのキー操作により保有するメロディデータから当該キー操作に対応する任意のメロディを設定しておき、キー操作時に前記設定に基づく前記拡声手段のメロディ出力により携帯電話端末の動作状態を使用者に認識させる制御手段を備えることを特徴とする携帯電話端末。
【請求項３】
振動報知のための振動手段を有する携帯電話端末であって、この携帯電話端末でのキー操作により保有するデータから当該キー操作に対応する任意の前記振動手段のオン／オフ動作を設定しておき、キー操作時に前記設定に基づく前記振動手段の振動出力により携帯電話端末の動作状態を使用者に認識させる制御手段を備えることを特徴とする携帯電話端末。
【請求項４】
音報知のための拡声手段および振動報知のための振動手段を有する携帯電話端末であって、この携帯電話端末でのキー操作により保有するデータから当該キー操作に対応する任意のメロディおよび前記振動手段のオン／オフ動作の組み合わせをあらかじめ設定しておき、キー操作時に前記設定に基づく前記拡声手段および前記振動手段によるメロディ出力および振動出力により携帯電話端末の動作状態を使用者に認識させる制御手段を備えることを特徴とする携帯電話端末。
【請求項５】
前記振動手段のオン／オフ動作をモールス符号で振動させることを特徴とする請求項１，３，４いずれか１項に記載の携帯電話端末。
【請求項６】
前記振動手段のオン／オフ動作にリズムを付けることを特徴とする請求項１，３，４いずれか１項に記載の携帯電話端末。
【請求項７】
音報知のためのスピーカおよび振動報知のためのバイブレータと、操作されたキー入力を判別し対応する処理を行うキー操作制御部とを有する携帯電話端末であって、操作されるキーに対応する操作音データを記憶しておくキー操作音データ記憶部と、前記キー操作音データ記憶部に保存されている当該キー操作に対応する操作音データに基づくキー操作音を発生するキー操作音発生部と、入力操作されるキーに基づき対応するバイブレータ動作を行わせるバイブレータ制御部とを備え、前記キー操作制御部は、操作されたキー入力に基づき前記キー操作音発生部および前記バイブレータ制御部を制御し前記スピーカおよび前記バイブレータによる音出力および振動出力により携帯電話端末の動作状態を使用者に認識させることを特徴とする携帯電話端末。
【請求項８】
音報知のためのスピーカと、操作されたキー入力を判別し対応する処理を行うキー操作制御部とを有する携帯電話端末であって、操作されるキーに対応するメロディデータを記憶しておくキー操作音データ記憶部と、前記キー操作音データ記憶部に保存されている当該キー操作に対応するメロディデータに基づくメロディを発生するキー操作音発生部とを備え、前記キー操作制御部は、操作されたキー入力に基づき前記キー操作音発生部を制御し前記スピーカにメロディを出力して携帯電話端末の動作状態を使用者に認識させることを特徴とする携帯電話端末。
【請求項９】
振動報知のためのバイブレータと、操作されたキー入力を判別し対応する処理を行うキー操作制御部とを有する携帯電話端末であって、入力操作されるキーに基づき対応するバイブレータ動作を行わせるバイブレータ制御部とを備え、前記キー操作制御部は、操作されたキー入力に基づき前記バイブレータ制御部を制御し前記バイブレータに振動出力して携帯電話端末の動作状態を使用者に認識させることを特徴とする携帯電話端末。
【請求項１０】
音報知のためのスピーカおよび振動報知のためのバイブレータと、操作されたキー入力を判別し対応する処理を行うキー操作制御部とを有する携帯電話端末であって、操作されるキーに対応するメロディデータを記憶しておくキー操作音データ記憶部と、前記キー操作音データ記憶部に保存されている当該キー操作に対応するメロディデータに基づくメロディを発生するキー操作音発生部と、入力操作されるキーに基づき対応するバイブレータ動作を行わせるバイブレータ制御部とを備え、前記キー操作制御部は、操作されたキー入力に基づき前記キー操作音発生部および前記バイブレータ制御部を制御し前記スピーカおよび前記バイブレータによるメロディ出力および振動出力により携帯電話端末の動作状態を使用者に認識させることを特徴とする携帯電話端末。
【請求項１１】
前記キー操作音データ記憶部は、和音データあるいは識別用の音声データを有することを特徴とする請求項７，８，１０いずれか１項に記載の携帯電話端末。
【請求項１２】
前記バイブレータ制御部は、バイブレータのオン／オフ動作をモールス符号で振動させることを特徴とする請求項７，９，１０いずれか１項に記載の携帯電話端末。
【請求項１３】
前記バイブレータ制御部は、バイブレータのオン／オフ動作にリズムを付けることを特徴とする請求項７，９，１０いずれか１項に記載の携帯電話端末。
【発明の詳細な説明】
【０００１】
【発明の属する技術分野】
本発明は携帯電話端末に関し、特にその諸機能を使用する際に視覚障害者等におけるキー入力操作に有効な携帯電話端末に関する。
【０００２】
【従来の技術】
従来、携帯電話端末でのキー操作による諸機能の設定は、本体に取り付けられている液晶パネルに表示される情報を見ながら、画面により操作が行われるため視覚障害者にとっては、電話帳などのメモリ機能を使用することは極めて難しく、使用に不便であり、１つのボタンを間違えて押せば違う相手方に接続され、所望の相手方に通話ができない。この対処方法として、携帯電話端末のメニューボタン、メモリボタン、数字ボタン等機能ボタンを点字で表示している（例えば、特許文献１参照）。また、音声を入力し音声認識によって諸機能を利用している（例えば、特許文献２参照）。
【０００３】
【特許文献１】
登録実用新案第３０５４３８２号公報（段落番号０００４および図２）
【特許文献２】
特開平１１−６８９１２号公報（段落番号０００４および図１）
【０００４】
【発明が解決しようとする課題】
上述した従来の技術のうち、前者では相手方の電話番号を忘れる場合が多く、また後者の音声認識による入力では、騒音等がある場合には誤動作の恐れもある。携帯電話端末の一般的な普及に伴い、視覚障害者にとってより使い勝手のよい携帯電話端末が求められている。
【０００５】
本発明の目的は、視覚障害者にとり点字による表示や音声認識を用いず、且つ画面表示を見ることなしにその動作状態を認識し、操作することが可能な携帯電話端末を提供することにある。
【０００６】
【課題を解決するための手段】
請求項１に記載の本発明は、音報知のための拡声手段および振動報知のための振動手段を有する携帯電話端末であって、この携帯電話端末でのキー操作により保有するデータから当該キー操作に対応する任意のキー操作音および前記振動手段のオン／オフ動作の組み合わせをあらかじめ設定しておき、キー操作時に前記設定に基づく前記拡声手段および前記振動手段による音出力および振動出力により携帯電話端末の動作状態を使用者に認識させる制御手段を備える。
【０００７】
請求項２に記載の本発明は、音報知のための拡声手段を保有する携帯電話端末であって、この携帯電話端末でのキー操作により保有するメロディデータから当該キー操作に対応する任意のメロディを設定しておき、キー操作時に前記設定に基づく前記拡声手段のメロディ出力により携帯電話端末の動作状態を使用者に認識させる制御手段を備える。
【０００８】
請求項３に記載の本発明は、振動報知のための振動手段を有する携帯電話端末であって、この携帯電話端末でのキー操作により保有するデータから当該キー操作に対応する任意の前記振動手段のオン／オフ動作を設定しておき、キー操作時に前記設定に基づく前記振動手段の振動出力により携帯電話端末の動作状態を使用者に認識させる制御手段を備える。
【０００９】
請求項４に記載の本発明は、音報知のための拡声手段および振動報知のための振動手段を有する携帯電話端末であって、この携帯電話端末でのキー操作により保有するデータから当該キー操作に対応する任意のメロディおよび前記振動手段のオン／オフ動作の組み合わせをあらかじめ設定しておき、キー操作時に前記設定に基づく前記拡声手段および前記振動手段によるメロディ出力および振動出力により携帯電話端末の動作状態を使用者に認識させる制御手段を備える。
【００１０】
請求項５に記載の本発明は、請求項１，３，４いずれか１項に記載の発明において、前記バイブレータのオン／オフ動作をモールス符号で振動させる。
【００１１】
請求項６に記載の本発明は、請求項１，３，４いずれか１項に記載の発明において、前記バイブレータのオン／オフ動作にリズムを付ける。
【００１２】
請求項７に記載の本発明は、音報知のためのスピーカおよび振動報知のためのバイブレータと、操作されたキー入力を判別し対応する処理を行うキー操作制御部とを有する携帯電話端末であって、操作されるキーに対応する操作音データを記憶しておくキー操作音データ記憶部と、前記キー操作音データ記憶部に保存されている当該キー操作に対応する操作音データに基づくキー操作音を発生するキー操作音発生部と、入力操作されるキーに基づき対応するバイブレータ動作を行わせるバイブレータ制御部とを備え、前記キー操作制御部は、操作されたキー入力に基づき前記キー操作音発生部および前記バイブレータ制御部を制御し前記スピーカおよび前記バイブレータによる音出力および振動出力により携帯電話端末の動作状態を使用者に認識させる。
【００１３】
請求項８に記載の本発明は、音報知のためのスピーカと、操作されたキー入力を判別し対応する処理を行うキー操作制御部とを有する携帯電話端末であって、操作されるキーに対応するメロディデータを記憶しておくキー操作音データ記憶部と、前記キー操作音データ記憶部に保存されている当該キー操作に対応するメロディデータに基づくメロディを発生するキー操作音発生部とを備え、前記キー操作制御部は、操作されたキー入力に基づき前記キー操作音発生部を制御し前記スピーカにメロディを出力して携帯電話端末の動作状態を使用者に認識させる。
【００１４】
請求項９に記載の本発明は、振動報知のためのバイブレータと、操作されたキー入力を判別し対応する処理を行うキー操作制御部とを有する携帯電話端末であって、入力操作されるキーに基づき対応するバイブレータ動作を行わせるバイブレータ制御部とを備え、前記キー操作制御部は、操作されたキー入力に基づき前記バイブレータ制御部を制御し前記バイブレータに振動出力して携帯電話端末の動作状態を使用者に認識させる。
【００１５】
請求項１０に記載の本発明は、音報知のためのスピーカおよび振動報知のためのバイブレータと、操作されたキー入力を判別し対応する処理を行うキー操作制御部とを有する携帯電話端末であって、操作されるキーに対応するメロディデータを記憶しておくキー操作音データ記憶部と、前記キー操作音データ記憶部に保存されている当該キー操作に対応するメロディデータに基づくメロディを発生するキー操作音発生部と、入力操作されるキーに基づき対応するバイブレータ動作を行わせるバイブレータ制御部とを備え、前記キー操作制御部は、操作されたキー入力に基づき前記キー操作音発生部および前記バイブレータ制御部を制御し前記スピーカおよび前記バイブレータによるメロディ出力および振動出力により携帯電話端末の動作状態を使用者に認識させる。
【００１６】
請求項１１に記載の本発明は、請求項７，８，１０いずれか１項に記載の発明において、前記キー操作音データ記憶部は、和音データあるいは識別用の音声データを有する。
【００１７】
請求項１２に記載の本発明は、請求項７，９，１０いずれか１項に記載の発明において、前記バイブレータ制御部は、バイブレータのオン／オフ動作をモールス符号で振動させる。
【００１８】
請求項１３に記載の本発明は、請求項７，９，１０いずれか１項に記載の発明において、前記バイブレータ制御部は、バイブレータのオン／オフ動作にリズムを付ける。
【００１９】
本発明によれば、携帯電話端末本体に設けられるキー操作時おいて、この端末使用者（以降、使用者と略称）が発生するキー操作音を任意に設定することおよびバイブレータを動作させることを可能にすることにより、使用者は、表示画面を見ることなくキー操作音の相違およびバイブレータの振動との組み合わせ、あるいはいずれか一方により携帯電話端末の動作状態を認識し操作が行える。
【００２０】
【発明の実施の形態】
次に、本発明の実施の形態について図面を参照して詳細に説明する。
【００２１】
本発明の実施の形態を示す図１を参照すると、携帯電話端末は、メニューボタン、メモリボタン、数字ボタン等機能ボタンを有するキー入力部１と、携帯電話端末各部を制御する制御手段としての中央制御部２と、音出力を行う拡声手段としてのスピーカ７と、振動出力を行う振動手段としてのバイブレータ８とを備える。なお、携帯電話端末に通常有する無線部、表示部等は本発明に関連しないので図示および説明を省略する。中央制御部２は、キー操作制御部３と、キー操作音データ記憶部４と、キー操作音発生部５と、バイブレータ制御部６とを備える。
【００２２】
キー操作音データ記憶部４は、キー入力部１から使用者によって操作されるキーに対応する操作音データをあらかじめ記憶しておく。キー操作音発生部５は、キー操作音データ記憶部４に保存されている当該キー操作に対応する操作音データに基づくキー操作音を発生する。バイブレータ制御部６は入力操作されるキーに基づき対応するバイブレータ動作を行わせる。キー操作制御部３は、操作されたキー入力を判別し対応する処理を行うもので、操作されたキー入力に基づきキー操作音発生部５およびバイブレータ制御部６を制御しスピーカ７およびバイブレータ８に音出力および振動出力して携帯電話端末の動作状態を使用者に認識させる。
【００２３】
中央制御部２において、キー入力部１で入力されたキーコードをキー操作制御部３が認識し、携帯電話端末の操作状況およびキーボタンに対し、キー操作音データ記憶部４に保存されている使用者が設定した当該キー操作に対応する操作音データに基づいた操作音をキー操作音発生部５によって生成させ、スピーカ７に出力する。また、キー操作制御部３の指示に基づき、当該キー操作に応じてバイブレータ制御部６がバイブレータ８の動作をオン／オフ制御する。
【００２４】
本実施の形態におけるキー操作音とは、キー操作により発生する音全般を意味するが、通常の着信音とは区別される。また応用例として，あらかじめキー操作音データ記憶部４に特定のメロディ，和音や動物の鳴き声などのデータを記憶しておき，これを指定することによって、さらに分り易いキー入力操作による識別が可能である。また，バイブレータのオン／オフ制御についても、単にオン／オフ動作だけでなく、モールス符号のデータをあらかじめバイブレータ制御部６に保有させておき、これによりバイブレータを振動させてもよいし、あるいはオン／オフ動作にリズムを持たせるようにしてもよい。さらに、本実施の形態では、キー操作音とバイブレータ動作の組み合わせにより報知するように構成しているが、メロディ、和音等の単独報知あるいはバイブレータの単独報知により識別させるようにしてもよい。
【００２５】
図２は本発明の携帯電話端末での一般的な電話帳機能における電話番号を登録するときの操作を説明するための図である。電話帳に電話番号を登録するとき、始めに、機能ボタンを押下し電話帳登録のための選択操作を行い（ステップ２１：Ｓ２１と略称、以降同様）、次に入力モードの選択操作を行って（Ｓ２２）、当該の電話番号の入力操作に移る（Ｓ２３）。そしてこの電話番号対応し出力させるキー操作音の設定操作（Ｓ２４）およびバイブレータのオン／オフ動作の設定操作を行う（Ｓ２５）。なお、この設定登録時には、視覚障害者の場合健常者の手助けが必要で、相手方の電話番号とキー操作音／振動を関連付けて覚えてもらうことが前提である。視覚障害者の場合には、電話帳機能に登録された名前は分るが、表示が見えないためにメモリ登録の番号が読み取れないことに対応するため、単純な２つの音を使用しないで、相手方と関連付けができるよう配慮している。
【００２６】
図３は本発明の携帯電話端末でキ−操作を行っときの基本的な処理を示したもので、キー操作を認識し（Ｓ３１）、キーコードと携帯電話端末の動作状態とを取得して（Ｓ３２、Ｓ３３）、キー操作音の設定（Ｓ３４）、バイブレータのオン／オフ設定を行い（Ｓ３５）、それぞれ対応するキー操作音およびバイブレータ振動を出力する（Ｓ３６）。
【００２７】
次に、本発明の実施の形態の動作について図面を参照して説明する。
【００２８】
本発明の携帯電話端末における一実施例の電話帳機能を使用する場合の操作および動作について図４を参照して説明する。使用者は電話帳機能を使用して相手方の電話番号を選択し電話をかける場合、通常、電話帳キー１１を押して電話帳機能を選択し、次に十字キー１２を押して電話をかけたい相手方の項目、すなわち電話番号を選択したのち、通話キー１３を押すという操作を行わなければならない。本発明では、この各キー操作に対し電話帳キー１１を押したときには、例えばキー操作音（設定音１）とバイブレータ（ＯＮ）、十字キー１２ａを押した場合は、キー操作音（設定音２）とバイブレータ（ＯＦＦ）、十字キー１２ｂを押した場合は、キー操作音（設定音３）とバイブレータ（ＯＦＦ）、十字キー１２ｃを押した場合は、キー操作音（設定音４）とバイブレータ（ＯＦＦ）というキー操作音およびバイブレータの動作が設定されている。なお、図４において、十字キー１２の操作１２ａ〜１２ｃは、十字キー１２が繰り返し押下されていることを示しており、また、通話キー１３を押下したときの操作音は、携帯電話端末で元々保有し決められた音が既定音として使用される。
【００２９】
図５を参照すると、上述した図４の設定状態で、十字キー１２ｃの設定の相手先に電話をかける場合が示されている。使用者はキー操作を行い（Ｓ５１）、電話帳機能を選択したことを示すキー操作音が設定音１であること（Ｓ５２）およびバイブレータの振動動作があること（Ｓ５３）によって電話帳機能が選択されたことを認識する（Ｓ５４）。次に十字キー操作を行い（Ｓ５５）、特定の相手方の項目（電話番号）を選択するため条件、この場合はキー操作音が設定音４で（Ｓ５６）、且つ振動なし（Ｓ５７）を満たすまで繰り返し十字キー操作を行い（Ｓ５５）、条件を満たしたときに選択されたことを認識し（Ｓ５８）、通話キーを押下して発信する（Ｓ５９）。したがって、画面表示を見ることなく音と振動にて携帯電話端末の動作状態を認識することができ、電話帳機能等の使用が可能となる。
【００３０】
上述した実施の形態では、携帯電話端末が保有する操作音およびバイブレータオン／オフによる相違にて動作状態を認識する方法を説明したが、図６に示すようにキー操作時に、キーの機能を表す擬似音声を出力する方法でもよい。図６における操作および動作は、上述した図４の場合と同様なので個々の説明を省略する。例えばこの擬似音声を音声メッセージとし「項目１ＸＸ」を救急車、「項目２○○」を警察というように設定することにより、より使用し易くすることが可能である。
【００３１】
【発明の効果】
以上説明したように本発明によれば、携帯電話端末本体に設けられているキーの操作において、キー操作毎に設定された操作音およびバイブレータのオン／オフにより、携帯電話端末の動作状態を認識し操作が行えることを可能とした。これにより、表示画面を見ることが容易でない視覚障害者が携帯電話端末の電話帳などのメモリ機能を便利に使用することができる。
【図面の簡単な説明】
【図１】本発明の実施の形態を示すブロック図である。
【図２】本発明の携帯電話端末の一般的な電話帳機能における電話番号登録時の操作を説明するためのフロー図である。
【図３】図２に示した操作を行ったときの携帯電話端末における処理の流れを説明するためのフロー図である。
【図４】本発明の携帯電話端末において電話帳機能を使用するときの使用者の操作および設定動作を説明するための図である。
【図５】図４に示した設定がなされた場合の使用者操作に伴う処理動作を説明するためのフロー図である。
【図６】本発明の携帯電話端末において電話帳機能を使用するときの使用者の操作および設定動作の他の例を説明するための図である。
【符号の説明】
１    キー入力部
２    中央制御部
３    キー操作制御部
４    キー操作音データ記憶部
５    キー操作音発生部
６    バイブレータ制御部
７    スピーカ
８    バイブレータ
【図１】
2004254198.tif 000003
【図２】
2004254198.tif 000004
【図３】
2004254198.tif 000005
【図４】
2004254198.tif 000006
【図５】
2004254198.tif 000007
【図６】
2004254198.tif 000008